(57)【要約】【課題】先行材の冷却中における後行材の圧延を考慮したスラブの加熱炉からの抽出順および圧延順の計画を作成すること。【解決手段】データ読込部が指示枚数分のスラブデータを抽出し（ステップＳ２）、最適計画作成部が当該指示枚数分のスラブデータを対象にスラブの加熱炉抽出順・圧延順の最適化を行いスラブの加熱炉抽出順・圧延順計画を作成し（ステップＳ３）、当該計画中に冷却中に後行材の圧延が可能であるのに後行材の圧延をしない先行材の計画の存在を評価部が確認した場合に（ステップＳ４，Ｙｅｓ）、データ読込部が当該先行材以降のスラブを含めて指示枚数分のスラブデータを抽出し（ステップＳ７）、該指示枚数分のスラブデータを用いて最適計画作成部に再度処理を実行させる（ステップＳ３）。【選択図】図６
2014057989.tif 000002
【特許請求の範囲】
【請求項１】
加熱炉内におけるスラブの位置を示す炉内データと、スラブごとに決められた圧延時間と冷却時間とに関するデータを含む圧延データとを含むスラブデータから、指示枚数分のスラブのスラブデータを抽出する第１データ読込ステップと、
前記指示枚数分のスラブデータを対象にして、スラブの加熱炉抽出順・圧延順の最適化を行ってスラブの加熱炉抽出順・圧延順計画を作成する最適計画作成ステップと、
作成された前記加熱炉抽出順・圧延順計画中に、冷却中に後行材の圧延が可能であるにもかかわらず後行材の圧延を行わない先行材の計画があるか否かを確認する評価ステップと、
冷却中に後行材の圧延が可能であるにもかかわらず後行材の圧延を行わない先行材の計画がある場合に、当該先行材以降のスラブのスラブデータを含めて前記指示枚数分になるようにスラブデータを抽出し、該指示枚数分のスラブデータを用いて前記最適計画作成ステップを再度実行させる第２データ読込ステップと、
を含むことを特徴とする加熱炉抽出順・圧延順計画作成方法。
【請求項２】
前記評価ステップは、前記先行材の冷却時間が所定時間以上かつ先行材の冷却時間に後行材の圧延を行うことによる圧延処理の短縮時間が所定時間以下であるか否かを確認するステップを含むことを特徴とする請求項１に記載の加熱炉抽出順・圧延順計画作成方法。
【請求項３】
加熱炉内におけるスラブの位置を示す炉内データと、スラブごとに決められた圧延時間と冷却時間とに関するデータを含む圧延データとを含むスラブデータから、指示枚数分のスラブのスラブデータを抽出する第１データ読込手段と、
前記指示枚数分のスラブデータを対象にして、スラブの加熱炉抽出順・圧延順の最適化を行ってスラブの加熱炉抽出順・圧延順計画を作成する最適計画作成手段と、
作成された前記加熱炉抽出順・圧延順計画中に、冷却中に後行材の圧延が可能であるにもかかわらず後行材の圧延を行わない先行材の計画があるか否かを確認する評価手段と、
冷却中に後行材の圧延が可能であるにもかかわらず後行材の圧延を行わない先行材の計画がある場合に、当該先行材以降のスラブのスラブデータを含めて前記指示枚数分になるようにスラブデータを抽出し、該指示枚数分のスラブデータを用いて前記最適計画作成手段に再度処理を実行させる第２データ読込手段と、
を備えることを特徴とする加熱炉抽出順・圧延順計画作成装置。
【発明の詳細な説明】
【技術分野】
【０００１】
本発明は、スラブの加熱炉からの抽出順および圧延順の計画を作成する加熱炉抽出順・圧延順計画作成方法および加熱炉抽出順・圧延順計画作成装置に関する。
【背景技術】
【０００２】
一般に、スラブの圧延の途中に冷却が必要な場合、冷却の間には圧延機が使用されずアイドル状態になるため、冷却時間を含めた総圧延時間が長くなり、圧延効率は低下する。そこで、先行材の冷却中に後行材の圧延を行うこと（以下、タンデム圧延と称す）により、圧延機のアイドル状態を減少させて全体の圧延効率を向上させている。なお、特許文献１には、圧延機などの設備の制約条件を定式化して、全スラブの総圧延時間を最小とするように各スラブのパススケジュールを最適化する技術が記載されている。
【先行技術文献】
【特許文献】
【０００３】
【特許文献１】特開２００３−３０５５０８号公報
【発明の概要】
【発明が解決しようとする課題】
【０００４】
上記のようなタンデム圧延を考慮してスラブの加熱炉からの抽出順および圧延順の計画（加熱炉抽出順・圧延順計画）を作成する際には、各スラブの材質や幅や厚さなどに応じた圧延に関する多数の制約条件を考慮する必要があり、極めて複雑であるため、従来、作業者の経験や勘に頼らざるを得なかった。そのため、計画の作成に多大な時間を要し、作業者の労力負担が大きかった。加えて、作業者により計画の内容にばらつきが生じ、常に最適な計画が作成されるとは言い難かった。
【０００５】
一方、特許文献１に記載の技術では、圧延予定の全スラブを対象に最適化しようとすれば、実操業上の許容範囲を超えた計算時間を必要とするという問題点がある。そのため、実操業に適用するには、スラブをいくつかの集合に分け、各集合を対象に最適化を行うことによって計画を作成する必要がある。その場合、タンデム圧延を考慮した計画を作成するためには、所定の板厚以上で複数回の圧延の間に冷却を必要とするなどの条件を満たすタンデム圧延が可能なスラブと、このスラブと組み合わせることができるタンデム圧延が可能なスラブとが、同一の集合に含まれている必要がある。換言すれば、タンデム圧延が可能な先行材と、この先行材と組み合わせることができるタンデム圧延が可能な後行材とが同一の集合に含まれていなければ、タンデム圧延を考慮した計画を作成することはできない。
【０００６】
本発明は、上記に鑑みてなされたものであって、先行材の冷却中における後行材の圧延を考慮したスラブの加熱炉からの抽出順および圧延順の計画（加熱炉抽出順・圧延順計画）を作成可能な加熱炉抽出順・圧延順計画作成方法および加熱炉抽出順・圧延順計画作成装置を提供することを目的とする。
【課題を解決するための手段】
【０００７】
上述した課題を解決し、目的を達成するために、本発明に係る加熱炉抽出順・圧延順計画作成方法は、加熱炉内におけるスラブの位置を示す炉内データと、スラブごとに決められた圧延時間と冷却時間とに関するデータを含む圧延データとを含むスラブデータから、指示枚数分のスラブのスラブデータを抽出する第１データ読込ステップと、前記指示枚数分のスラブデータを対象にして、スラブの加熱炉抽出順・圧延順の最適化を行ってスラブの加熱炉抽出順・圧延順計画を作成する最適計画作成ステップと、作成された前記加熱炉抽出順・圧延順計画中に、冷却中に後行材の圧延が可能であるにもかかわらず後行材の圧延を行わない先行材の計画があるか否かを確認する評価ステップと、冷却中に後行材の圧延が可能であるにもかかわらず後行材の圧延を行わない先行材の計画がある場合に、当該先行材以降のスラブのスラブデータを含めて前記指示枚数分になるようにスラブデータを抽出し、該指示枚数分のスラブデータを用いて前記最適計画作成ステップを再度実行させる第２データ読込ステップと、を含むことを特徴とする。
【０００８】
また、本発明に係る加熱炉抽出順・圧延順計画作成方法は、上記発明において、前記評価ステップは、前記先行材の冷却時間が所定時間以上かつ先行材の冷却時間に後行材の圧延を行うことによる圧延処理の短縮時間が所定時間以下であるか否かを確認するステップを含むことを特徴とする。
【０００９】
また、本発明に係る加熱炉抽出順・圧延順計画作成装置は、加熱炉内におけるスラブの位置を示す炉内データと、スラブごとに決められた圧延時間と冷却時間とに関するデータを含む圧延データとを含むスラブデータから、指示枚数分のスラブのスラブデータを抽出する第１データ読込手段と、前記指示枚数分のスラブデータを対象にして、スラブの加熱炉抽出順・圧延順の最適化を行ってスラブの加熱炉抽出順・圧延順計画を作成する最適計画作成手段と、作成された前記加熱炉抽出順・圧延順計画中に、冷却中に後行材の圧延が可能であるにもかかわらず後行材の圧延を行わない先行材の計画があるか否かを確認する評価手段と、冷却中に後行材の圧延が可能であるにもかかわらず後行材の圧延を行わない先行材の計画がある場合に、当該先行材以降のスラブのスラブデータを含めて前記指示枚数分になるようにスラブデータを抽出し、該指示枚数分のスラブデータを用いて前記最適計画作成手段に再度処理を実行させる第２データ読込手段と、を備えることを特徴とする。
【発明の効果】
【００１０】
本発明によれば、先行材の冷却中における後行材の圧延を考慮したスラブの加熱炉抽出順・圧延順計画を作成することができる。
【図面の簡単な説明】
【００１１】
【図１】図１は、本発明の一実施形態に係る加熱炉抽出順・圧延順計画作成処理が適用される鉄鋼製品の圧延ラインの一例を説明するための図である。
【図２】図２は、図１の圧延ラインにおける１枚のスラブの処理の概要を示す模式図である。
【図３】図３は、タンデム圧延の概要を示す模式図である。
【図４】図４は、本実施の形態の加熱炉抽出順・圧延順計画作成装置の概略構成を示す模式図である。
【図５】図５は、スラブデータのデータ構成例を示す図である。
【図６】図６は、本実施の形態の加熱炉抽出順・圧延順計画作成処理手順を示すフローチャートである。
【図７】図７は、本実施の形態により作成されるスラブの加熱炉抽出順・圧延順計画を例示する図である。
【図８】図８は、図６のステップＳ２〜Ｓ８の処理の概要を示す模式図である。
【図９】図９は、本実施の形態により作成され確定したスラブの加熱炉抽出順・圧延順計画を例示する図である。
【発明を実施するための形態】
【００１２】
以下、図面を参照して、本発明の一実施形態を詳細に説明する。なお、この実施の形態により本発明が限定されるものではない。また、図面の記載において、同一部分には同一の符号を付して示している。
【００１３】
まず、図１および図２を参照して本実施の形態の加熱炉抽出順・圧延順計画作成装置が対象とする処理の流れについて説明する。図１は、本実施形態の加熱炉抽出順・圧延順計画作成処理が適用される圧延ラインの構成を模式的に示した概略図である。また、図２は、圧延の途中に冷却が必要なスラブについての圧延ラインでの処理の内容を示すガントチャートである。図１および図２に示すように、スラブは、複数（本実施の形態では４つ）の抽出口Ｅを有する加熱炉１０１から１枚ずつ抽出され、搬送ライン１０２を経由して圧延機１０３に搬送されて目標の板厚まで圧延される。圧延の途中に冷却が必要なスラブは、圧延機１０３で冷却が必要な板厚になるまで圧延され（圧延時間Ｔ１）、搬送ライン１０２を経由して冷却装置１０４に搬送されて目標の温度になるまで冷却され（冷却時間Ｔ２）、その後、再び圧延機１０３に戻されて目標の板厚になるまで圧延される（圧延時間Ｔ３）。なお、本実施の形態では簡略のため、冷却回数は１回以下、圧延回数は２回以下としている。
【００１４】
次に、図３を参照して本実施の形態のタンデム圧延について説明する。図３は、圧延の途中に冷却が必要な２枚のスラブＡ，Ｂについて、先行材Ａの冷却時間に後行材Ｂの圧延を行うタンデム圧延の処理の概要を示すガントチャートである。図３に示すように、タンデム圧延では、先行材Ａの冷却時間ＴＡ２の間に後行材Ｂが必要な板厚になるまでの圧延（圧延時間ＴＢ１）が実施される。このようなタンデム圧延により、圧延機１０３では、先行材Ａについての圧延時間ＴＡ１と圧延時間ＴＡ３との間に後行材Ｂについての圧延（圧延時間ＴＢ1）が実施されるため、先行材Ａだけの圧延では圧延機１０３がアイドル状態となる時間ＴＡ２を有効に活用できる。また、タンデム圧延により、２枚のスラブの圧延に必要な総圧延時間（冷却時間を含む）が、各スラブの圧延に必要な時間の合計（ＴＡ１＋ＴＡ２＋ＴＡ３）＋（ＴＢ１＋ＴＢ２＋ＴＢ３）より短縮される。
【００１５】
次に、図４を参照して、本実施の形態による加熱炉抽出順・圧延順計画作成装置１の概略構成について説明する。図４に示すように、本発明の一実施形態である加熱炉抽出順・圧延順計画作成装置１は、入力部１１と、出力部１２と、記憶部１３と、各構成部を制御する制御部１４とを備える。
【００１６】
入力部１１は、電源スイッチおよび入力キーなどの入力デバイスを用いて実現され、操作者による入力操作に対応して、制御部１４に対して加熱炉抽出順・圧延順計画作成などの各種指示情報を入力する。出力部１２は、液晶ディスプレイなどの表示装置、プリンターなどの印刷装置、情報通信装置などによって実現される。出力部１２は、加熱炉抽出順・圧延順計画作成装置１によって作成されたスラブの加熱炉抽出順・圧延順計画を出力する。
【００１７】
記憶部１３は、更新記憶可能なフラッシュメモリ等のＲＯＭやＲＡＭといった各種ＩＣメモリ、内蔵あるいはデータ通信端子で接続されたハードディスク、ＣＤ−ＲＯＭなどの情報記憶媒体およびその読取装置等によって実現される。記憶部１３には、加熱炉抽出順・圧延順計画装置１を動作させる処理プログラムや、処理プログラムの実行中に使用されるデータなどが予め記憶され、あるいは処理の都度一時的に記憶される。なお、記憶部１３は、ＬＡＮやインターネットなどの電気通信回線を介して制御部１４と通信する構成としてもよい。
【００１８】
本実施の形態において、後述する加熱炉抽出順・圧延順計画作成処理の開始に先立って、あるいは加熱炉抽出順・圧延順計画作成処理の開始時に、操作者の操作入力により、あるいは操業データベースなどの外部のデータベースからダウンロードすることにより、加熱炉抽出順・圧延順計画作成装置１に入力部１１を介して加熱炉抽出順・圧延順計画の対象の全スラブデータが入力され、記憶部１３に記憶される。図５はスラブデータのデータ構成例を示す図である。図５に示すように、スラブデータは、加熱炉１０１の抽出口近傍での位置を示す情報（炉内データ）と、圧延予定に関する情報（圧延データ）とを含むスラブごとのデータで構成される。各スラブデータは、スラブの識別情報であるスラブＩＤに対応づけられて、炉内データとして、抽出口に関するデータと抽出端側先方スラブＩＤとを含み、圧延データとして、１回目圧延時間と、冷却時間と、２回目圧延時間と、タンデム可否とに関するデータを含んで構成される。
【００１９】
抽出口は、当該スラブが抽出される加熱炉１０１の抽出口Ｅの識別情報を意味する。本実施の形態では、抽出口は１〜４の４つである。抽出端側先方スラブＩＤは、当該スラブの加熱炉１０１からの抽出順の１つ先方にある未抽出のスラブの識別情報を意味する。１回目圧延時間は、１回目の圧延に必要な時間を意味する。冷却時間は、圧延の途中に冷却が必要なスラブについての冷却に必要な時間を意味し、冷却が必要ないスラブについては０が設定される。２回目圧延時間は、冷却が必要なスラブについての冷却後の２回目の圧延に必要な時間を意味し、冷却が必要なく圧延が１回のスラブについては０が設定される。タンデム可否は、タンデム圧延の可否を示し、例えば、可の場合に１（○）、不可の場合に０（×）が設定される。ここで、タンデム可（タンデム圧延可能材）は、所定の板厚以上の冷え難いスラブであることや、複数回（本実施の形態では２回）の圧延の間に冷却を必要とすることなどの条件を満たすスラブについて設定される。
【００２０】
図４に戻る。制御部１４は、処理プログラムを実行するＣＰＵ等を用いて実現され、前述した加熱炉抽出順・圧延順計画作成装置１の各構成部を制御する。また、制御部１４は、データ読込部１４１と、最適計画作成部１４２と、評価部１４３とを有し、後述する加熱炉抽出順・圧延順計画作成処理を実行する。
【００２１】
次に、図６のフローチャートを参照して、加熱炉抽出順・圧延順計画作成装置１による加熱炉抽出順・圧延順計画作成処理手順について説明する。図６のフローチャートは、例えば、操作者により加熱炉抽出順・圧延順計画作成の指示入力があったタイミングで開始となり、加熱炉抽出順・圧延順計画作成処理はステップＳ１の処理に進む。
【００２２】
ステップＳ１の処理では、制御部１４が、入力部１１を介して入力された指示枚数の情報を受け付ける。この指示枚数は、加熱炉抽出順・圧延順計画作成処理で最適化を行う単位枚数を意味する。これにより、ステップＳ１の処理は完了し、加熱炉抽出順・圧延順計画作成処理は、ステップＳ２の処理に進む。
【００２３】
ステップＳ２の処理では、データ読込部１４１が、入力された指示枚数の情報に基づいて、指示枚数分のスラブデータを記憶部１３から抽出する。これにより、ステップＳ２の処理は完了し、加熱炉抽出順・圧延順計画作成処理は、ステップＳ３の処理に進む。
【００２４】
ステップＳ３の処理では、最適計画作成部１４２が、ステップＳ２の処理で抽出された指示枚数分のスラブデータを対象として、この指示枚数分のスラブの総圧延時間を最短にするように加熱炉抽出順・圧延順の最適化を行って、加熱炉抽出順・圧延順計画を作成する。ここでは、最適計画作成部１４２は、周知の分枝限定法や制約プログラミングなどを適用し、操業上の制約条件を満たして総圧延時間が最短になるように加熱炉抽出順・圧延順の最適化を行う。これにより、ステップＳ３の処理は完了し、加熱炉抽出順・圧延順計画作成処理は、ステップＳ４の処理に進む。
【００２５】
ここで、操業上の制約条件には、例えば、同一の抽出口からの抽出順は変更できないなどの炉内に関する制約条件や、タンデム可の先行材の冷却時間にタンデム可の後行材の１回目の圧延を行うタンデム圧延などの圧延に関する制約条件を例示できる。なお、タンデム圧延に関する制約条件では、後行材の圧延が先行材の圧延より先に完了する追い越し圧延を防止するため、先行材、後行材の双方ともにタンデム圧延可能材（タンデム可）である場合に、お互いをタンデム圧延の相手スラブとして組み合わせ可能とする。
【００２６】
図７は、指示枚数が８枚である場合について、ステップＳ３の処理により作成されたスラブの加熱炉抽出順・圧延順計画を例示する図である。図７に示すように、作成された加熱炉抽出順・圧延順計画には、抽出順・圧延順と、スラブＩＤと、タンデム圧延の相手スラブＩＤと、タンデム可否とに関するデータが含まれる。
【００２７】
ステップＳ４の処理では、評価部１４３が、ステップＳ３の処理で作成された指示枚数分のスラブの加熱炉抽出順・圧延順計画中に、タンデム圧延可能材であるにもかかわらずタンデム圧延が行われないスラブの計画が存在するか否かを確認する。ここでは、評価部１４３は、タンデム可否が可（○）であって、タンデム圧延の相手スラブＩＤが設定されていないスラブの有無を確認する。図７に示す例では、スラブＩＤがＷＳ１１６のスラブがこれに相当する。評価部１４３は、タンデム圧延が行われないタンデム圧延可能材が存在する場合には（ステップＳ４，Ｙｅｓ）、ステップＳ５に処理を進め、タンデム圧延が行われないタンデム圧延可能材が存在しない場合には（ステップＳ４，Ｎｏ）、ステップＳ８に処理を進める。
【００２８】
ステップＳ５の処理では、評価部１４３は、ステップＳ３の処理で作成された指示枚数分の加熱炉抽出順・圧延順計画中のスラブのうち、ステップＳ４の処理で確認されたタンデム圧延が行われないタンデム圧延可能材より前に加熱炉１０１から抽出され圧延されるスラブについて、加熱炉抽出順・圧延順計画を確定する。図７に示す例では、スラブＩＤがＷＳ１１６のスラブより前に加熱炉１０１から抽出されるスラブＩＤがＷＳ１１２，ＷＳ１１４，ＷＳ１１３，ＷＳ１１５，ＷＳ１１７のスラブについて、評価部１４３は加熱炉抽出順・圧延順計画を確定する。これにより、ステップＳ５の処理は完了し、加熱炉抽出順・圧延順計画作成処理は、ステップＳ６の処理に進む。
【００２９】
ステップＳ６の処理では、評価部１４３は、ステップＳ３の処理で作成された指示枚数分の加熱炉抽出順・圧延順計画中のスラブのうち、ステップＳ４の処理で確認されたタンデム圧延が行われないタンデム圧延可能材以降に加熱炉１０１から抽出されるスラブを選択する。図７に示す例では、評価部１４３は、スラブＩＤがＷＳ１１６のスラブ以降に加熱炉１０１から抽出されるスラブＩＤがＷＳ１１６，ＷＳ１１８，ＷＳ１１９の３枚のスラブを選択する。これにより、ステップＳ６の処理は完了し、加熱炉抽出順・圧延順計画作成処理は、ステップＳ７の処理に進む。
【００３０】
ステップＳ７の処理では、データ読込部１４１は、ステップＳ６で選択されたスラブを含めてステップＳ１で入力された指示枚数になるように、記憶部１３からスラブデータを抽出する。図７の例では、データ読込部１４１は、選択された３枚のスラブと合わせて８枚になるように、記憶部１３から５枚分のスラブデータを抽出する。これにより、ステップＳ７の処理は完了し、データ読込部１４１は、加熱炉抽出順・圧延順計画作成処理をステップＳ３の処理に戻す。
【００３１】
ステップＳ８の処理では、評価部１４３は、ステップＳ３の処理で作成された指示枚数分のスラブの加熱炉抽出順・圧延順計画を確定する。これにより、ステップＳ８の処理は完了し、加熱炉抽出順・圧延順計画作成処理は、ステップＳ９の処理に進む。
【００３２】
図８は、上記ステップＳ２〜Ｓ８の処理の概要を示す模式図であり、図９は、その結果に確定したスラブの加熱炉抽出順・圧延順計画を例示する図である。図８に示すように、ステップＳ２の処理で抽出された指示枚数８枚分のスラブデータを対象として、最適計画作成部１４２が、１回目の加熱炉抽出順・圧延順の最適化を行う（ステップＳ３）。ここで作成された加熱炉抽出順・圧延順計画中にタンデム圧延が行われないタンデム圧延可能材ＷＳ１１６が含まれているため、評価部１４３は、タンデム圧延可能材ＷＳ１１６より前の５枚のスラブについては加熱炉抽出順・圧延順計画を確定し（ステップＳ５）、ステップＳ６で選択されたタンデム圧延可能材ＷＳ１１６以降の３枚のスラブと、ステップＳ７の処理で新たに記憶部１３から抽出された５枚のスラブ（ＷＳ１２０，ＷＳ１２２，ＷＳ１２３，ＷＳ１２１，ＷＳ１２４）とを合わせた指示枚数８枚分のスラブデータを対象として、最適計画作成部１４２が、２回目の加熱炉抽出順・圧延順の最適化を行う（ステップＳ３）。このとき、指示枚数８枚分のスラブにタンデム圧延可能材ＷＳ１２０が含まれ、ＷＳ１１６のタンデム圧延の組み合わせ相手スラブとすることができる。また、ここで作成された加熱炉抽出順・圧延順計画中にタンデム圧延が行われないタンデム圧延可能材は含まれないため、評価部１４３は、指示枚数８枚分の加熱炉抽出順・圧延順計画を確定する（ステップＳ８）。以上の処理により、図９に示すように１３枚のスラブの加熱炉抽出順・圧延順計画が確定する。
【００３３】
ステップＳ９の処理では、評価部１４３は、記憶部１３に記憶されている全スラブデータに対応するスラブについて加熱炉抽出順・圧延順計画が確定したか否かを確認する。評価部１４３は、全スラブデータのスラブについて加熱炉抽出順・圧延順計画が確定している場合には（ステップＳ９，Ｙｅｓ）、ステップＳ１０の処理に進め、加熱炉抽出順・圧延順計画が確定していないスラブがある場合には（ステップＳ９，Ｎｏ）、ステップＳ２の処理に戻す。
【００３４】
ステップＳ１０の処理では、制御部１４は、作成され確定した加熱炉抽出順・圧延順計画を出力部１２に出力する。これにより、ステップＳ１０の処理は完了し、一連の加熱炉抽出順・圧延順計画作成処理は終了する。
【００３５】
以上、説明したように、本実施の形態の加熱炉抽出順・圧延順計画作成方法および加熱炉抽出順・圧延順計画作成装置によれば、指示枚数分のスラブデータにタンデム圧延可能な先行材と組み合わせてタンデム圧延可能な後行材が含まれていない場合にも、より抽出順が後方のスラブデータを指示枚数分のスラブデータに含めることにより、タンデム圧延を考慮して加熱炉抽出順・圧延順を最適化できるので、先行材の冷却中における後行材の圧延を考慮したスラブの加熱炉抽出順・圧延順計画を作成することができる。
【００３６】
なお、上記ステップＳ６において、タンデム圧延をしないタンデム圧延可能材の計画がある場合を分岐点として、タンデム圧延により総圧延時間を短縮するよう加熱炉抽出順・圧延順計画を作成し直すこととしているが、他の条件を分岐点に追加適用してもよい。例えば、タンデム圧延をしないタンデム圧延可能材の計画がない場合にも、先行材の冷却時間がＨ１秒であり、後行材とのタンデム圧延により圧延機１０３のアイドル状態がＨ２秒短縮される場合に、Ｈ１およびＨ２について所定の閾値を設定し、Ｈ１が所定の閾値以上かつＨ２が所定の閾値以下の場合に、より効率の良いタンデム圧延の組み合わせで総圧延時間を短縮するよう加熱炉抽出順・圧延順計画を作成し直すことにしてもよい。
【００３７】
［実施例］
スラブ２００枚分のスラブデータを用い、指示枚数を８枚とした場合に、上記実施の形態の加熱炉抽出順・圧延順計画作成処理を行うことにより、タンデム圧延をするスラブが５５枚から５９枚に増加した。この際、圧延機１０３のアイドル状態の時間が短縮され、総圧延時間が３７４８８秒から３７３１４秒に短縮された。
【００３８】
以上、本発明者によってなされた発明を適用した実施の形態について説明したが、本実施形態による本発明の開示の一部をなす記述及び図面により本発明は限定されることはない。すなわち、本実施形態に基づいて当業者等によりなされる他の実施の形態、実施例および運用技術等は全て本発明の範疇に含まれる。
【符号の説明】
【００３９】
１  加熱炉抽出順・圧延順計画作成装置
１１  入力部
１２  出力部
１３  記憶部
１４  制御部
１４１  データ読込部
１４２  最適計画作成部
１４３  評価部
１０１  加熱炉
１０２  搬送ライン
１０３  圧延機
１０４  冷却装置
【図１】
2014057989.tif 000003
【図２】
2014057989.tif 000004
【図３】
2014057989.tif 000005
【図４】
2014057989.tif 000006
【図５】
2014057989.tif 000007
【図６】
2014057989.tif 000008
【図７】
2014057989.tif 000009
【図８】
2014057989.tif 000010
【図９】
2014057989.tif 000011